(57)【特許請求の範囲】
【請求項１】
入力手段としてのキーボードを配設した装置本体と、
前記装置本体の操作内容による画像を表示する表示部と、を備え、
前記装置本体には装置本体内部と外部とを連通する通気孔が形成され、
第１の濡れ性を有する第１の領域と前記第１の領域と異なる第２の濡れ性を有する第２の領域とを交互に配置した液体流れ制御構造を前記通気孔の周囲を取り囲むように前記装置本体に設けたことを特徴とするコンピュータ装置。
【請求項２】
外部に露出する表面部と内部に所定の収容空間とを有する筐体と、
前記筐体の収容空間内に収容される電気および／または電子部品と、を有し、
前記筐体は、前記収容空間と外部とを連通する通気孔と、
前記表面部の前記通気孔の周囲に形成されるとともに、第１の濡れ性を有する第１の領域と前記第１の領域と異なる第２の濡れ性を有する第２の領域とを交互に配置した液体流れ制御構造と、を備えることを特徴とする電気機器。
【請求項３】
前記第１の領域は前記筐体を構成する材料から構成され、前記第２の領域は前記筐体を構成する材料とは異なる材料から構成されることを特徴とする請求項２に記載の電気機器。
【請求項４】
前記第１の領域および前記第２の領域は、同一の材料から構成されることを特徴とする請求項２に記載の電気機器。
【請求項５】
前記第１の領域および前記第２の領域は、前記筐体を構成する材料から構成され、前記第１の領域と前記第２の領域は、互いに異なる表面粗さを有していることを特徴とする請求項４に記載の電気機器。
【請求項６】
前記液体流れ制御構造は、前記通気孔の周囲を取り囲むように形成されたことを特徴とする請求項２に記載の電気機器。
【請求項７】
前記第１の領域および第２の領域は、その周囲における前記表面部と実質的に同一の高さを有することを特徴とする請求項２に記載の電気機器。
【請求項８】
内部に所定の収容空間を有する筐体本体と、
前記収容空間への水分の浸入を不可避的に許容する水分浸入許容流路と、
前記水分浸入許容流路の近傍にストライプ状に形成されるとともに濡れ性が変動する濡れ性変動境界と、
を備えたことを特徴とする筐体。
【請求項９】
隣接する前記濡れ性変動境界の間隔が、１〜１０ｍｍの範囲で設定されることを特徴とする請求項８に記載の筐体。
【請求項１０】
前記濡れ性変動境界で区画される領域の接触角の差が５０°以上であること特徴とする請求項８に記載の筐体。
【請求項１１】
前記濡れ性変動境界は、異なる濡れ性を有する領域を隣接配置することにより形成されることを特徴とする請求項８に記載の筐体。
【請求項１２】
電気機器の外廓を形成するカバーであって、
所定面積の平坦面を有するカバー本体と、
前記平坦面に形成されかつ前記平坦面と実質的に同一の平面を構成する濡れ性が断続的に変動する濡れ性変動領域と、を備えることを特徴とするカバー。
【請求項１３】
前記濡れ性変動領域は、互いに接触角の異なる材料から構成される帯状領域が交互に配置されたものであることを特徴とする請求項１２に記載のカバー。
【請求項１４】
前記濡れ性変動領域は、所定の幅だけ第１の接触角が連続する第１の帯状領域と、前記第１の帯状領域に隣接しかつ所定の幅だけ第１の接触角とは異なる第２の接触角が連続する第２の帯状領域を有することを特徴とする請求項１２に記載のカバー。
【発明の詳細な説明】
【０００１】
【発明の属する技術分野】
本発明は、パーソナル・コンピュータ（ＰＣ）をはじめとする内部に液体の浸入を望まない電気機器に関し、特に液体の電気機器内への侵入を阻止しまたは低減する技術に関するものである。
【０００２】
【従来の技術】
ＰＣをはじめとする電気機器は、当該電気機器としての機能を発揮するための電気／電子部品と、電気／電子部品を収容する筐体（あるいはカバー）とを構成要素とする。電気／電子部品は、周知のように水分を嫌う。したがって、電気／電子部品を収容する筐体内部は外部と完全に封止されることが望ましい。ところが、電気機器によっては、その機能上、筐体内部を完全に封止することができず、筐体内部と外部とを連通する孔を形成する場合がある。例えば、筐体内部にファンを設けている場合には、筐体に通気孔あるいは排気孔と呼ばれる貫通孔（以下、通気孔と称する）が形成される。当然のことながらこの通気孔を封止することはできない。したがって、この通気孔から液体が内部に浸入することが想定される。
【０００３】
【発明が解決しようとする課題】
例えば、特開平８−２０３３６５号公報には、防湿処理の施された通信機器が開示されている。この通信機器は、通気孔を形成した機器本体の裏内面に吸水性シートを貼り付けるとともに、通気孔に水分の浸入を防止するが空気の流通を許容する防水シートを取り付けた構造を有している。この特開平８−２０３３６５号公報に開示された通信機器のように、通気孔が単純に空気の流通ができればよいというレベルのものであれば、通気孔に水分の浸入を防止するが空気の流通を認める防水シートを取り付けた構造を採用することができる。ところが、このような防水シートは、一般に密度が高いために、ファンを運転させた場合に要求される通気性を満足することができない。つまり、水分の浸入を防止するが空気の流通を認める防水シートを、ファンのための通気孔に採用することが難しい場合がある。
【０００４】
例えば、ノート型ＰＣを使用中に、飲んでいるコーヒーをユーザが不注意によって溢すことがある。通気孔の周囲に溢したコーヒーが通気孔に浸入するおそれがある。通気孔の周囲に３次元的な障壁を形成することにより、このようなコーヒー等の液体の浸入を防止することが期待できる。しかし、通気孔への液体の浸入を防止するためには、３次元的な障壁の高さを数ｍｍにする必要があることから、ノート型ＰＣのデザイン性を損なう場合がある。また、ノート型ＰＣのサイズあるいは操作の観点からこのような３次元的な障壁を設けることを嫌う場合もある。
したがって、本発明はデザイン性を損なうことなく、またそのサイズあるいは操作の制約を受けることなく、その周囲からの通気孔への液体の浸入を阻止または抑制することのできるコンピュータ装置、電気機器の提供を課題とする。また、本発明はそのような電気機器に好適な筐体あるいはカバーの提供を課題とする。
【０００５】
【課題を解決するための手段】
近年、撥水性あるいは親水性の物質が脚光を浴びている。例えば、衣服に対して撥水処理を施すことにより衣服に防水性を付与することが知られている。一方で、例えば特開２０００−３０９０６８号公報に開示されるように、親水性フィルムを所定の個所に貼り付けることにより、流滴性、防曇性、防汚性を付与することも知られている。
ノート型ＰＣに形成された通気孔の周囲に撥水性の物質を塗布することにより、通気孔の周囲にコーヒー等の水分を溢した際の通気孔への浸入を阻止しようと当業者であれば試みるであろう。撥水性の物質は、前述した３次元的な障壁に比べて極めて薄く形成することができる利点があるからである。ところが、撥水性物質上の水分は撥水性物質上から退避するであろうが、通気孔に向かって進行する可能性を否定できない。つまり、撥水性の物質を通気孔の周囲に塗布しただけでは、本発明の課題を解決することは困難である。これは、親水性の物質を通気孔の周囲に塗布した場合も同様である。
【０００６】
本発明者は、水分の浸入を嫌う部分、典型的には通気孔の周囲に水分が存在する場合に、通気孔への浸入を阻止または低減できるようにその水分の流れを制御することを検討した。固体表面上の液体の流動は、固体表面の濡れ性に大きな影響を受ける。特に、液体に対する濡れ性が大きく変動する境界が存在する場合、その境界において液体の表面張力は他の部分と異なる。この性質を利用して、液体の移動を制御することが可能となる。より詳しくは、濡れ性の異なる境界を形成し、この境界によって液体の浸入を防ぎたい方向に対する液体の流動性を低下させる。そして、濡れ性の異なる境界を形成するには、濡れ性の異なる物質を交互に配置すればよく、３次元的な障壁を設ける場合に比べて、物理的な寸法の変動を極めて微小にすることができる。
本発明は以上の事項を基礎とするコンピュータ装置であって、入力手段としてのキーボードを配設した装置本体と、前記装置本体の操作内容による画像を表示する表示部と、を備え、前記装置本体には装置本体内部と外部とを連通する通気孔が形成され、第１の濡れ性を有する第１の領域と前記第１の領域と異なる第２の濡れ性を有する第２の領域とを交互に配置した液体流れ制御構造を前記通気孔の周囲を取り囲むように前記装置本体に設けることを特徴とする。
【０００７】
本発明の適用対象はコンピュータ装置に限定されず、電気機器に広く適用することができる。すなわち本発明の電気機器は、外部に露出する表面部と内部に所定の収容空間とを有する筐体と、前記筐体の収容空間内に収容される電気および／または電子部品と、を有し、前記筐体は、前記収容空間と外部とを連通する通気孔と、前記表面部の前記通気孔の周囲に形成されるとともに、第１の濡れ性を有する第１の領域と前記第１の領域と異なる第２の濡れ性を有する第２の領域とを交互に配置した液体流れ制御構造と、を備えることを特徴とする。
本発明のコンピュータ装置、電気機器は、その筐体に通気孔を有している。この通気孔は、当該電気機器の機能上必要な場合に限らず、デザイン的な要求によって形成される場合をも包含する。そして、この通気孔は電気および／または電子部品を収容する収容空間と外部とを連通するから、外部でユーザが溢したコーヒー等の水分がこの通気孔を介して収容空間に浸入するおそれがある。ところが、本発明のコンピュータ装置、電気機器は、通気孔の周囲に、第１の濡れ性を有する第１の領域と前記第１の領域と異なる第２の濡れ性を有する第２の領域とを交互に配置した液体流れ制御構造を有しているため、筐体の表面部を通気孔に向かって液体が進行してもこの液体流れ制御構造によってその進行を妨げることができる。例えば、液体流れ制御構造に対して垂直な方向から液体が進行しても、液体流れ制御構造に接触するとその向きを直角に変えることにより通気孔への液体の浸入を防止、または抑制することができる。
本発明において、通気孔が形成される位置によってその効果が一層発揮されることがある。例えば、他の部材を載せることが多い場所、ひっくり返して底面となる場所あるいは他の部材がスライドする場所等、他の部材と接触する面に通気孔が形成されている場合に、本発明はより有効である。つまり、このような場合に通気孔の周囲に凹凸を形成すると、載せた他の部材が不安定となるし、凸部分に他の部材が載ることにより、該凸部に応力が集中したり、該凸部周辺や他の部材の該凸部と接触する付近において加重に応じてせん断力が発生してしまうことが予想される。また、他の部材のスライドについては、スムーズなスライド動作が得られなくなり、かつ摩擦抵抗が増加することが予測される。これに対して本発明は、以上のような不具合を生ずる凹凸を形成する必要がない。つまり、本発明は、前記通気孔が前記筐体本体の一つの表面に形成され、前記電気機器は、前記一つの表面に他の表面を有する他の部材が前記一つの表面と前記他の表面のうち少なくとも前記通気孔の近傍の領域において応力を生じ得る態様で接触した第１の状態と、前記他の表面を有する他の部材と接触していない第２の状態の少なくとも２種類の状態で用いられる形態とすることにより、その効果をより有効に享受することができる。
【０００８】
本発明の電気機器において、第１の領域および第２の領域を形成する態様は種々存在する。もっとも、本発明は物理的な寸法の変動を微小にすることが重要であるから、その範疇において第１の領域および第２の領域を形成することが望まれる。例えば、第１の濡れ性を有するフィルムを第１の領域に貼り付け、また第２の濡れ性を有するフィルムを第２の領域に貼り付けることにより、液体流れ制御構造を形成することができる。フィルムを用いることなく、塗料を塗布するという形態も採用することができる。
以上のように、第１の領域および第２の領域に対応するフィルムを貼り付け、または塗料を塗布する形態のほかに、筐体を構成する材料自体を第１の領域に利用することもできる。つまり、本発明の電気機器においては、筐体を構成する材料を第１の領域に用い、筐体を構成する材料とは異なる材料を第２の領域に用いることができる。この場合には、第２の領域に対応する材料のみをフィルムとして貼り付け、または塗料を塗布すれば足りるので、製造が容易であるとともにコスト低減にも寄与することができる。
【０００９】
以上では、第１の領域および第２の領域を異なる材料で構成することについて説明したが、本発明では第１の領域および第２の領域を同一の材料から構成することもできる。一般には、同一の材料の濡れ性は一致する。なお、濡れ性は、接触角で評価することができる。ところが、これは同一の表面性状を有していることを前提とするものであり、例えば表面粗さが異なれば、同一の材料であっても接触角が異なることになる。本発明はこのように表面性状を異ならしめることにより、同一の材料で第１の領域および第２の領域を形成することを包含する。最も簡便な手法として、筐体の前記通気孔の周囲に表面粗さの異なる第１の領域および第２の領域を形成する。つまり本発明の電気機器において、第１の領域および第２の領域は、筐体を構成する材料から構成され、第１の領域と第２の領域は、互いに異なる表面粗さを有することによっても所定の効果を発揮することができる。電気機器の筐体がプラスチックの射出成型によって製造される場合には、第１の領域および第２の領域に対応する射出成型用金型の部位の表面粗さを異なるものとしておけばよい。この態様は、金型の表面粗さを所定に設定すれば、その後に第１領域および第２領域を形成するための特別の工程を付加する必要がないという製造工程上の利点がある。
なお、接触角とは、ある面上に置かれた液滴表面の、面との接触個所の接線と面とのなす角度をいうが、本願明細書中でも同義で用いる。そして、接触角は液滴の種類によって変わりうるものであるが、本願明細書中で、接触角が異なる、という場合には同一の液滴に対する接触角が異なることを意味する。
【００１０】
さて、本発明の電気機器において、通気孔の周囲に液体流れ制御構造を形成するが、その位置は筐体における通気孔の形状、形成位置等によって適宜定めればよい。通気孔が、その周囲の全方向から液体が浸入することができる場合には、液体流れ制御構造を通気孔の周囲を取り囲むように形成することが望ましい。しかし、周囲を取り囲む形態に限定されない。また、液体流れ制御構造を通気孔からどの程度の距離に形成するかも、通気孔の形状、形成位置等によって適宜定めればよい。
本発明の電気機器は、前述のように第１の領域および第２の領域をフィルムの貼り付け、塗料の塗布、表面性状の調整によって形成することができる。したがって、第１の領域および第２の領域は、その周囲における筐体表面部と実質的に同一の高さとすることができるから、当該電気機器のデザイン性を損なうことなく通気孔に対する液体の侵入を防止又は抑制することができる。
本発明の液体流れ制御構造は、第１の濡れ性を有する第１の領域と前記第１の領域と異なる第２の濡れ性を有する第２の領域とを交互に配置するが、配置する数にも制限はない。第１の濡れ性を有する第１の領域と前記第１の領域と異なる第２の濡れ性を有する第２の領域とを１セットとすると、基本的には少なくともこの１セットを有していれば良いが、２セット、３セット有していても良い。また、第１の領域、第２の領域、第１の領域というように１.５セットとでも言うべき形態とすることをも包含している。
【００１１】
以上では本発明を電気機器に適用した例について説明した。しかし、本発明は電気機器のみならず、電気機器のほかに内部に液体の進入を本来は阻止したいが何らかの理由により液体の浸入を不可避的に許容する流路が形成された筐体に対して普遍的に適用することができる。したがって本発明は、内部に所定の収容空間を有する筐体本体と、前記収容空間への水分の浸入を不可避的に許容する水分浸入許容流路と、前記水分浸入許容流路の近傍にストライプ状に形成されるとともに濡れ性が変動する濡れ性変動境界、とを備えたことを特徴とする筐体を提供する。
前述したように、液体に対する濡れ性が大きく変動する境界が存在する場合、その境界において液体の表面張力は他の部分と異なり、この性質を利用して、液体の流動を制御することが可能となる。そこで、本発明の筐体は、水分浸入許容流路の近傍にストライプ状に濡れ性が変動する濡れ性変動境界を形成した。ここで、濡れ性変動境界はストライプ状に形成されているが、これは水分浸入許容経路の近傍に複数の濡れ性変動境界が存在することを意味する。したがって、水分浸入許容経路への水分の浸入を抑制する機能が強化される。このような濡れ性変動境界は、異なる濡れ性を有する領域を隣接配置することにより形成することができる。
ここで、水分浸入許容経路は、前述した通気孔を包含する概念であることはもちろんであるが、通気孔に限らず、筐体内部への水分の浸入が不可避的に認められる経路一般を包含する。特に、貫通した孔に限定されず、液体を透過しにくい例えばフィルタが取り付けられた通気孔であっても、本発明は有効に機能する。
【００１２】
本発明の筐体において、液体の流動を適切に制御するためには、隣接する濡れ性変動境界の間隔を１〜１０ｍｍの範囲で設定することが望ましい。また同様の理由から、濡れ性変動境界で区画される領域の接触角の差は５０°以上とすることが望ましい。
本発明の筐体において、前記水分浸入許容経路が形成される位置は限定されないが、当該筐体が用いられ機器を操作するオペレータがオペレーションを行う際に直接触れる位置に設けてある場合に本発明の効果を特に享受することかできる。本発明によれば、オペレーションの邪魔になるような凹凸を設ける必要がないからである。したがって、本発明の筐体において、前記の表面上であって、水分浸入許容経路が、前記筐体本体の表面上であって、オペレータによる操作が行われる際に、オペレータが接触する表面に設けてある場合に、本発明の効果が特に発揮される。
【００１３】
本発明は、筐体の一部を構成するようなカバーについても同様に適用することができる。すなわち本発明は、電気機器の外廓を形成するカバーであって、所定面積の平坦面を有するカバー本体と、前記平坦面に形成されかつ前記平坦面と実質的に同一の平面を構成する濡れ性が断続的に変動する濡れ性変動領域と、を備えることを特徴とするカバーを提供する。
本発明のカバーは、濡れ性が断続的に変動する濡れ性変動領域を備えている。濡れ性が断続的に変動するため、液体がこの平坦面を流動して濡れ性変動領域に到達すると、流動の方向を変えることができる。したがって、この濡れ性変動領域を、液体の浸入を回避したい適切な個所に設けることにより、電気機器内部への液体の侵入を阻止または低減することができる。
【００１４】
本発明のカバーにおいて、濡れ性変動領域は、互いに接触角の異なる材料から構成される帯状領域を交互に配置することにより形成することができる。また本発明のカバーにおいて、濡れ性変動領域は、所定の幅だけ第１の接触角が連続する第１の帯状領域と、前記第１の帯状領域に隣接しかつ所定の幅だけ第１の接触角とは異なる第２の接触角が連続する第２の帯状領域を設けることにより形成することができる。
【００１５】
【発明の実施の形態】
以下本発明をノート型ＰＣ１に適用した実施の形態に基づいて説明する。
ノート型ＰＣ１は、ＰＣ本体２と表示部８とから構成される。ＰＣ本体２は、筐体３と筐体３の上面に設けられたキーボード４とを備えている。例えばＡＢＳ樹脂から構成される筐体３は内部に収容空間を備え、その収容空間にはＰＣとして機能させるためのＣＰＵ、ハード・ディスク・ドライブ、フロッピー・ディスク・ドライブ、電源手段、冷却用ファン（いずれも図示を省略）等の電気・電子部品が収容されている。筐体３がこれら電気・電子部品のカバーとして機能することはいうまでもない。筐体３のキーボード４を除く上表面には所定面積を有する平坦面５が形成されており、平坦面５の図中右端部には、筐体３の収容空間と外部とを連通する通気孔６が形成されている。通気孔６は、筐体３内部の収容空間に収容されている冷却用ファンの排気口として機能する。通気孔６を介して水分が前記収容空間に侵入することを本来は回避したいが、その機能上通気孔６を完全に封止することができないため、通気孔６は水分の浸入を不可避的に許容する水分浸入経路となる。通気孔６の周囲には、塗装膜７ａ，７ｂが額縁状に形成されている。この塗装膜７ａ，７ｂは、ポリエチレン系の塗料から構成されており、詳しくは後述するように、筐体３の平坦面５とともに液体流れ制御構造を構成する。
表示部８は、公知のＬＣＤ（Liquid Crystal Display：液晶表示ディスプレイ）を画像表示手段として備えている。
【００１６】
図２は、通気孔６近傍を示す平面図である。
図２に示すように、通気孔６の周囲には、ＡＢＳ樹脂から形成される帯状領域、塗装膜７ａからなる帯状領域、ＡＢＳ樹脂から形成される帯状領域、塗装膜７ｂからなる帯状領域が交互に配置されることになる。ここで、筐体３は前述のようにＡＢＳ樹脂から構成されており、一方、塗装膜７ａ，７ｂはポリエチレン系の塗料から構成されている。ＡＢＳ樹脂とポリエチレン系塗料とは濡れ性が異なり、ＡＢＳ樹脂が第１の濡れ性を、またポリエチレン系塗料が第２の濡れ性を有するので、通気孔６の周囲には、第１の濡れ性を有する領域と第２の濡れ性を有する領域が交互に配置されている。この第１の濡れ性を有する第１の領域と第２の濡れ性を有する第２の領域が交互に配置された構造を液体流れ制御構造と称することにする。本実施の形態では、通気孔６の周囲を取り囲むように液体流れ制御構造を形成している。なお、水に対するＡＢＳ樹脂の接触角はおよそ７０°、ポリエチレンの接触角はおよそ９５°である。
【００１７】
図３は、図２のＡ−Ａ部分の接触角を示す分布図である。
図３に示すように、筐体３に相当する部分の接触角が小さく、また塗装膜７ａ，７ｂに相当する部分の接触角は大きく、濡れ性が断続的に変動していることがわかる。また、筐体３に相当する第１の接触角が所定の幅だけ連続し、塗装膜７ａ，７ｂに相当する第２の接触角が所定の幅だけ連続している。筐体３と塗装膜７ａ，７ｂの境界において接触角、つまり濡れ性が大きく変動する濡れ性変動境界が存在する。この濡れ性変動境界は４つ存在するが、図２を参照すれば、平面的には、通気孔６の近傍に濡れ性変動境界がストライプ状に形成されることがわかる。なお、本発明者の実験によると、第１の接触角と第２の接触角との差が大きいほど本発明の効果を享受しやすい。具体的には、第１の接触角と第２の接触角との差は、５０°以上、さらには７０°以上になると本発明の効果が顕著となる。
【００１８】
さて本実施の形態において、液体流れ制御構造を筐体３に形成したのでその周囲に液体を溢した場合に、通気孔６への液体の浸入を阻止または軽減する。つまり、図４（ａ）に示すように、ＡＢＳ樹脂に対して濡れ性の大きい液体Ｌ１を筐体３上の塗装膜７ｂの外側に溢したとする。溢した液体Ｌ１は図中矢印方向に流動する。ところが、液体Ｌ１が塗装膜７ｂに到達すると、液体Ｌ１は筐体３と塗装膜７ｂの境界における表面張力の増加により、図４（ｂ）に示すように塗装膜７ｂの長手方向に沿って流動することになる。このように、液体Ｌ１のように筐体３に対して濡れ性の大きい液体は、塗装膜７ｂに達するとその流動方向が制御される。塗装膜７ｂに達する液体の流速が速い場合には、塗装膜７ｂを乗り越えることもありうるが、塗装膜７ａが設けてあるため、塗装膜７ａによって液体Ｌ１の流動方向を制御することができる。このように、塗装膜７ａ，７ｂを多重に形成することによって濡れ性変動境界をストライプ状に形成することが、液体Ｌ１の侵入防止効果を向上するために有効である。なお、塗装膜７ａ，７ｂはミクロン・オーダーの厚さでその機能を発揮することができるから、液体流れ制御構造を設けてもその高さは、筐体３の平坦面５と実質的に同一である。このことは、以下の効果をもたらす。つまり、平坦面５のうち通気孔６が形成された領域は、ノート型ＰＣ１のオペレータがノート型ＰＣ１を操作する際に手を接触させるが、本実施の形態による液体流れ制御構造は、平坦面５と実質的に同一の高さであるから、オペレータに違和感を与えない。また、表示部８を閉じる場合に、液体流れ制御構造が表示部８に接触して応力を付与するという心配もない。
【００１９】
図４では筐体３を構成するＡＢＳ樹脂に対して濡れ性の大きい、つまり接触角の小さい水を溢した例について説明したが、ＡＢＳ樹脂に対して濡れ性の小さい、つまり接触角の大きい液体を溢した場合であっても同様にその流れを制御することができる。つまり、図５（ａ）に示すように、ＡＢＳ樹脂に対して濡れ性の小さい液体Ｌ２を筐体３上の塗装膜７ｂの外側に溢したとする。溢した液体Ｌ２は図中矢印方向に流動する。そして、塗装膜７ｂに達しても液体Ｌ２に対して塗装膜７ｂの濡れ性が大きいから塗装膜７ｂ上を流動するが、筐体３のＡＢＳ樹脂部分に達すると、液体Ｌ２は塗装膜７ａと筐体３の境界における表面張力の増加により、図５（ｂ）に示すように塗装膜７ａの長手方向に沿って流動することになる。
【００２０】
以上の実施形態では、筐体３を構成する材料によって第１の領域を構成し、第２の領域を筐体３とは異なる材料で構成した。しかし本発明は以上の形態に限定されず、筐体３を構成する材料とは異なる材料から第１の領域及び第２の領域を構成することもできる。例えば、接触角が異なる２種類の塗料をストライプ状に塗布する形態が該当する。また、第１の領域および第２の領域を同一の材料から構成することもできる。前述したように、同一の材料であっても、表面性状が異なれば濡れ性が相違するからである。同一材料からなるが表面粗さの相違するフィルムを交互に筐体３に貼り付ける形態が該当する。また、フィルムを貼り付けることなく、筐体３そのものの表面粗さを変えることにより、筐体３を構成する材料そのもので第１の領域および第２の領域を形成することもできる。
【００２１】
以上説明した実施の形態では、額縁状の塗装膜７ａ，７ｂによって通気孔６の周囲を完全に取り囲む形態とした。しかし、図６に示すように断続的な塗装膜７ａ，７ｂによって通気孔６の周囲を取り囲むように配置することもできる。また、図７に示すように通気孔６が筐体３の縁３ｅの近傍に存在するような場合には、塗装膜７を縁３ｅに対向する辺を除く通気孔６の周囲に形成することもできる。なお、図７のように塗装膜７を単一のものとしても、筐体３を構成する材料と濡れ性の異なる塗料から塗装膜７を構成することにより濡れ性変動境界が形成されるため、本発明の液体流れ制御の効果を教授することができることは言うまでもない。
【００２２】
【発明の効果】
以上説明したように、本発明によれば、デザイン性を損なうことなく、またそのサイズあるいは操作の制約を受けることなく、その周囲からの通気孔への液体の浸入を阻止または抑制することのできる電気機器を提供することができる。
【図面の簡単な説明】
【図１】  本実施の形態によるノート型ＰＣを示す斜視図である。
【図２】  本実施の形態によるノート型ＰＣの通気孔近傍を示す平面図である。
【図３】  図２のＡ−Ａ部分の接触角の変動を示すグラフである。
【図４】  本実施の形態による液体流れ制御を説明する図である。
【図５】  本実施の形態による液体流れ制御を説明する図である。
【図６】  本実施の形態による塗装膜の他の形成例を示す図である。
【図７】  本実施の形態による塗装膜の他の形成例を示す図である。
【符号の説明】
１…ノート型ＰＣ、２…ＰＣ本体、３…筐体、４…キーボード、５…平坦面、６…通気孔、７，７ａ，７ｂ…塗装膜、８…表示部
【図１】
0003640347.tif 000002
【図２】
0003640347.tif 000003
【図３】
0003640347.tif 000004
【図４】
0003640347.tif 000005
【図５】
0003640347.tif 000006
【図６】
0003640347.tif 000007
【図７】
0003640347.tif 000008